(57)【要約】【課題】金型部材を移動させる装置の大型化を抑制する離型補助装置の提供。【解決手段】離型補助装置（５）は、第一及び第二の金型部材（３１、４）を備える金型（１０）において利用される。離型補助装置（５）は、第一の金型部材（４）に固定された電磁石（７）と、第二の金型部材（３１）に固定された磁石（６）とを備える。第一及び第二の金型部材の一方（３１）をダイカスト鋳造品（Ｐ１）から離間するように移動させることによってダイカスト鋳造品（Ｐ１）を離型させる場合、第一及び第二の金型部材の他方（４）は、第一及び第二の金型部材の一方（３１）よりもダイカスト鋳造品（Ｐ１）側に位置し、電磁石（７）は、通電されることによって、磁界を発生させ、電磁石（７）が発生させた磁界は、磁石（６）が発生させた磁界に対して反発する（Ｆ）。【選択図】図２
2019089091.tif 000002
【特許請求の範囲】
【請求項１】
第一及び第二の金型部材を備える金型において利用される離型補助装置であって、
前記第一の金型部材に固定された電磁石と、
前記第二の金型部材に固定された磁石と、を備え、
前記第一及び前記第二の金型部材の一方をダイカスト鋳造品から離間するように移動させることによって前記ダイカスト鋳造品を離型させる場合、
前記第一及び前記第二の金型部材の他方は、前記第一及び前記第二の金型部材の一方よりも前記ダイカスト鋳造品側に位置し、
前記電磁石は、通電されることによって、磁界を発生させ、
前記電磁石が発生させた磁界は、前記磁石が発生させた磁界に対して反発する、
離型補助装置。
【発明の詳細な説明】
【技術分野】
【０００１】
本発明は、離型補助装置に関する。
【背景技術】
【０００２】
特許文献１に開示のダイカスト鋳造装置は、固定金型部と、可動金型部とを備え、可動金型部は、スライドホルダに保持されたスライド入子を備える。当該ダイカスト鋳造装置では、固定金型部と可動金型部との型開き力を、スライドホルダのスライド力に変換する。これによって、油圧ピストン等のアクチュエータが、成形品からスライド入子を引き抜くことを補助する。また、アクチュエータの低トルク化や小型化を達成させる。
【先行技術文献】
【特許文献】
【０００３】
【特許文献１】特開２０１６−００７６２５号公報
【発明の概要】
【発明が解決しようとする課題】
【０００４】
ところで、高い離型力を必要するダイカスト鋳造品が要求されている。このようなダイカスト鋳造品を金型部材から離型させるため、大きな引抜力を備える装置を用いる。しかし、このような装置は、大きなサイズを有し、生産スペースに制約をかけることが有った。
【０００５】
本発明は、金型部材を移動させる装置の大型化を抑制するものとする。
【課題を解決するための手段】
【０００６】
本発明に係る離型補助装置は、
第一及び第二の金型部材を備える金型において利用される離型補助装置であって、
前記第一の金型部材に固定された電磁石と、
前記第二の金型部材に固定された磁石と、を備え、
前記第一及び前記第二の金型部材の一方をダイカスト鋳造品から離間するように移動させることによって前記ダイカスト鋳造品を離型させる場合、
前記第一及び前記第二の金型部材の他方は、前記第一及び前記第二の金型部材の一方よりも前記ダイカスト鋳造品側に位置し、
前記電磁石は、通電されることによって、磁界を発生させ、
前記電磁石が発生させた磁界は、前記磁石が発生させた磁界に対して反発する。
【０００７】
このような構成によれば、第一及び第二の金型部材の他方は、第一及び第二の金型部材の一方よりもダイカスト鋳造品側に位置している。また、電磁石が発生させた磁界は、磁石が発生させた磁界と反発するため、第一及び第二の金型部材は互いに離間する力を与えられる。これによって、第一及び第二の金型部材の一方は、ダイカスト鋳造品から離間する方向に、磁界による反発力を与えられる。そのため、ダイカスト鋳造品を第一及び第二の金型部材の一方から離型させるために必要な離型力が低減する。よって、第一及び第二の金型部材の一方を引き抜く力が小さな装置であっても、金型部材を移動させることができる。すなわち、金型部材を移動させる装置の大型化を抑制することができる。
【発明の効果】
【０００８】
本発明は、金型部材を移動させる装置の大型化を抑制することができる。
【図面の簡単な説明】
【０００９】
【図１】実施の形態１に係る離型補助装置の模式図である。
【図２】実施の形態１に係る離型補助装置の要部の拡大図である。
【発明を実施するための形態】
【００１０】
以下、本発明を適用した具体的な実施形態について、図面を参照しながら詳細に説明する。ただし、本発明が以下の実施形態に限定される訳ではない。また、説明を明確にするため、以下の記載及び図面は、適宜、簡略化されている。図１及び図２では、三次元ｘｙｚ直交座標系を規定した。
【００１１】
（実施の形態１）
図１〜図２を参照して実施の形態１について説明する。
【００１２】
図１及び図２に示すように、離型補助装置５は、金型１０に取り付けられている。
【００１３】
図１に示すように、金型１０は、可動型１と、固定型（図示略）とを備える。固定型は、鋳造機（図示略）によって、脱離可能に所定の位置に保持され、可動型１は、移動可能に鋳造機に保持されている。可動型１と、固定型（図示略）と、スライド入子３１、３２、３３と、入子４とが突き合わすことによって、金型１０は型閉めする。
【００１４】
可動型１は、油圧シリンダ２１、２２、２３、２４と、スライド入子３１、３２、３３と、入子４とを備える。
【００１５】
油圧シリンダ２１、２２、２３は、スライド入子３１、３２、３３をそれぞれ、金型キャビティへ押し出したり、可動型１の外方へ抜いたりする。ここで、金型キャビティは、図１に示すダイカスト鋳造品Ｐ１の位置に相当する。例えば、油圧シリンダ２１は、スライド入子３１を、図１紙面に向かって上下方向（ここでは、Ｚ軸方向）において、可動型１の上側から金型キャビティの中央へ押し出したり、金型キャビティから可動型１の上側へ抜いたりする。入子４は、可動型１において、図１紙面に向かって金型キャビティの左側（ここでは、Ｘ軸方向マイナス側）に固定される。
【００１６】
図２に示すように、離型補助装置５は、磁石６と、電磁石７とを備える。磁石６は、スライド入子３１に固定され、電磁石７は、入子４に固定されている。
【００１７】
磁石６は、磁界を発生すればよく、多種多様な磁石を利用することができる。このような磁石として、例えば、永久磁石や電磁石を利用することができる。スライド入子３１をダイカスト鋳造品Ｐ１から離間するように移動させることによってダイカスト鋳造品Ｐ１を離型させる場合、磁石６は、電磁石７よりもダイカスト鋳造品Ｐ１側に位置するとよい。
【００１８】
電磁石７は、例えば、電源（図示略）に導線（図示略）等を介して、電気的に接続されている。電磁石７は、例えば、電源から電流を与えられる等して、通電して、磁界を発生させる。この磁界は、磁石６が発生させた磁界と反発するのに必要な大きさを備える。
【００１９】
（鋳造方法）
次に、図１及び図２を参照して、離型補助装置５を取り付けた金型１０を用いた鋳造方法について説明する。
【００２０】
金型１０は、可動型１と、固定型（図示略）と、スライド入子３１、３２、３３と、入子４とを突き合わすことによって、型閉めする。型閉めすると、金型キャビティが形成される。その後、溶湯を金型キャビティに充填し、固める。すると、ダイカスト鋳造品Ｐ１が金型キャビティに形成される。
【００２１】
可動型１を固定型から離間させる。次いで、スライド入子３１をダイカスト鋳造品Ｐ１から引き抜く。ここで、電磁石７を通電させて、磁界を発生させる。すると、この発生した磁界は、磁石６が発生させた磁界に対して反発する。ここで、磁石６は、スライド入子３１に固定され、電磁石７は入子４に固定され、入子４はスライド入子３１よりもダイカスト鋳造品Ｐ１側に位置する。そのため、スライド入子３１と入子４とは互いに反発し合う力を受ける。スライド入子３１をダイカスト鋳造品Ｐ１から引き抜くために必要な離型力は低減する。したがって、油圧シリンダ２１の引き抜き力が、小さくても、スライド入子３１を移動させ得るため、小さな油圧シリンダ２１を使用し得る。すなわち、スライド入子３１を移動させる油圧シリンダ２１の大型化を抑制することができる。また、生産スペースに制約をかけるおそれが少ない。
【００２２】
ここで、磁界による反発力Ｆは、以下の式１を用いて求めることができる。すなわち、磁界による反発力Ｆと、磁石６の磁極の強さｍ１と、電磁石７の磁極の強さｍ２と、磁石６と電磁石７との距離ｒと、比例定数ｋとは、式１を満たす。
Ｆ＝ｋ（ｍ１×ｍ２）／ｒ２      （…式１）
また、磁石６と電磁石７との磁界が、一般に利用されるマグネットクランプと同等の磁界密度を備えるならば、反発力Ｆの一例が、13000kgf（＝127486.6N）を達成することを確認している。なお、1gfは、9.80665Nと換算した。13000kgfは、離型力の一例の５０％に相当する。
【００２３】
なお、本発明は上記実施の形態に限られたものではなく、趣旨を逸脱しない範囲で適宜変更することが可能である。例えば、実施の形態１では、磁石６をスライド入子３１に固定し、電磁石７を入子４に固定したが、磁石６を入子４に固定し、電磁石７をスライド入子３１に固定してもよい。また、磁石６及び電磁石７をスライド入子以外の金型部材に取り付けてもよい。また、入子４は、可動型１において所定の位置に固定されたが、鋳造機が備える油圧アクチュエータを用いて、左右方向（ここでは、Ｘ軸方向）において、図１紙面に向かって可動型１の左側から金型キャビティの中央へ押し出したり、金型キャビティから可動型１の左側へ抜いたりすることができるように保持されていてもよい。また、入子４は、スライド入子３１、３２、３３と同様に、油圧シリンダ２４を用いて、移動可能に保持されていてもよい。
【符号の説明】
【００２４】
５  離型補助装置
６  磁石                                    ７  電磁石
１０  金型
１  可動型                                  ２１、２２、２３、２４  油圧シリンダ
３１、３２、３３  スライド入子              ４  入子
Ｐ１  ダイカスト鋳造品
Ｆ  反発力                                  ｋ  比例定数
ｒ  距離
【図１】
2019089091.tif 000003
【図２】
2019089091.tif 000004